(57)【要約】【課題】  本発明は、電子キー内を省スペース化でき、電子キーを高密度化することができるデータ送受信カード用アンテナを提供する。【解決手段】  本発明は、外部側送受信機との間でデータを送受信する機能を備え、Ｘ軸部５、Ｙ軸部６およびＺ軸部７よりなる３軸タイプのデータ送受信カード用アンテナであって、Ｘ軸の軟磁性コア８とＹ軸の軟磁性コア９とが一体になっているＸＹコア部１０を有し、ＸＹコア部１０にＸ軸アンテナコイル１１及びＹ軸アンテナコイル１２が設けられて、Ｘ軸部５およびＹ軸部６が形成されてなるＸＹアンテナ部２４が、Ｚ軸部を形成するＺ軸アンテナコイル７の内側に配置されていることを特徴とするデータ送受信カード用アンテナ２である。【選択図】  図２
2005160039.tif 000002
【特許請求の範囲】
【請求項１】
外部側送受信機との間でデータを送受信する機能を備え、Ｘ軸部、Ｙ軸部およびＺ軸部よりなる３軸タイプのデータ送受信カード用アンテナであって、
Ｘ軸の軟磁性コアおよびＹ軸の軟磁性コアとして機能するＸＹコア部を有し、このＸＹコア部にＸ軸アンテナコイル及びＹ軸アンテナコイルが設けられて、前記Ｘ軸部および前記Ｙ軸部が形成されてなるＸＹアンテナ部が、前記Ｚ軸部を形成するＺ軸アンテナコイルの内側に配置されていることを特徴とするデータ送受信カード用アンテナ。
【請求項２】
前記ＸＹコア部は十字状であり、前記Ｘ軸の軟磁性コアの先端部および前記Ｙ軸の軟磁性コアの先端部が、前記Ｚ軸アンテナコイルを支持するＺ軸アンテナコイル支持部となっていることを特徴とする請求項１に記載のデータ送受信カード用アンテナ。
【請求項３】
ＸＹコア部は角数が偶数である多角形状であり、ＸＹコア部の対辺を囲んでＸ軸アンテナコイルが設けられると共に、前記対辺と直交する対辺を囲んでＹ軸アンテナコイルが設けられてＸＹアンテナ部となっていることを特徴とする請求項１に記載のデータ送受信カード用アンテナ。
【請求項４】
ＸＹコア部は、四角形における４つの角部が凹状に切り欠かれた形状であり、ＸＹコア部の対辺を囲んでＸ軸アンテナコイルが設けられると共に、前記対辺と直交する対辺を囲んでＹ軸アンテナコイルが設けられてＸＹアンテナ部となっていることを特徴とする請求項１に記載のデータ送受信カード用アンテナ。
【請求項５】
渦巻き状の導電性プリントが形成されると共にセンター貫通部を有する薄板状の基板が複数積層され、導電性プリント同士が基板間で連結されてＺ軸アンテナコイルとなっていると共に、センター貫通部が繋がってＸＹアンテナ部配置用孔部となっており、このＸＹアンテナ部配置用孔部にＸＹアンテナ部が配置されていることを特徴とする請求項４に記載のデータ送受信カード用アンテナ。
【請求項６】
請求項１〜５の何れかに記載されたデータ送受信カード用アンテナを備えた車両用の電子キー。
【請求項７】
プリント基板にＸＹアンテナ部配置用孔部が形成され、このＸＹアンテナ部配置用孔部に、前記ＸＹアンテナ部が設けられていることを特徴とする請求項１に記載の車両用の電子キー。
【発明の詳細な説明】
【技術分野】
【０００１】
本発明は、車両等に備えられた外部側送受信機との間でデータを送受信する機能を備え、車両用の電子キー等に用いられる、Ｘ軸部、Ｙ軸部およびＺ軸部よりなる３軸タイプのデータ送受信カード用アンテナ、及び、該データ送受信カード用アンテナを備えた車両用の電子キーに関する。
【背景技術】
【０００２】
従来から、車両用の電子キーシステムとして、電子キーとしてのＩＣカード（携帯側送受信機）にアンテナコイルを設け、車両側のカードリーダ（外部側送受信機）にＩＣカードのアンテナコイルと電磁結合されるアンテナコイルを設け、車両側のカードリーダのアンテナコイルから質問信号を空中伝播信号たる電磁誘導信号として送信して、この質問信号をＩＣカードのアンテナコイルが受信すると、そのＩＣカードがアンテナコイルから応答信号として車両固有のＩＤコード信号を送信するようになっており、カードリーダは、ＩＣカードから送信されたＩＤコードを読取り、車両側に予め記憶されているＩＤコードと比較して両者が一致すると、ドアロックやアンロック或いはエンジンの始動などを行うようになっている技術が知られている（例えば、特許文献１参照。）。
また、車両用の電子キーシステムに用いられる電子キーとしてのＩＣカード（携帯側送受信機）に備えるアンテナとして、一般に知られているＸ軸部、Ｙ軸部およびＺ軸部よりなる３軸タイプのアンテナを適用することが考えられる。
【特許文献１】特開平８−２７４６８２号公報
【発明の開示】
【発明が解決しようとする課題】
【０００３】
しかしながらこのようなＸ軸部、Ｙ軸部およびＺ軸部よりなる３軸タイプのアンテナでは、Ｘ軸部、Ｙ軸部およびＺ軸部は、軟磁性コアにアンテナコイルを巻き付けて構成されているが、このＸ軸部、Ｙ軸部およびＺ軸部は、夫々別個独立に、間隔を隔てて配置されており、構成が大型化して、車両用の電子キー等の携帯用電子キーのデータ送受信カード用アンテナとして使用する場合、電子キー内の省スペース化ができないという問題があった。
【０００４】
本発明は、上記従来技術としての問題点を解決するものであって、省スペース化でき、高密度化が可能なデータ送受信カード用アンテナ、該データ送受信カード用アンテナを備えた車両用の電子キーを提供することを目的とする。
【課題を解決するための手段】
【０００５】
以上の目的のため、本発明は、外部側送受信機との間でデータを送受信する機能を備え、Ｘ軸部、Ｙ軸部およびＺ軸部よりなる３軸タイプのデータ送受信カード用アンテナであって、
Ｘ軸の軟磁性コアおよびＹ軸の軟磁性コアとして機能するＸＹコア部を有し、このＸＹコア部にＸ軸アンテナコイル及びＹ軸アンテナコイルが設けられて、前記Ｘ軸部および前記Ｙ軸部が形成されてなるＸＹアンテナ部が、前記Ｚ軸部を形成するＺ軸アンテナコイルの内側に配置されていることを特徴とするデータ送受信カード用アンテナである。
【０００６】
この発明によれば、Ｘ軸の軟磁性コアおよびＹ軸の軟磁性コアとして機能するＸＹコア部を有し、前記ＸＹコア部にＸ軸アンテナコイル及びＹ軸アンテナコイルが設けられて、前記Ｘ軸部および前記Ｙ軸部が形成されてなるＸＹアンテナ部が、前記Ｚ軸部を形成するＺ軸アンテナコイルの内側に配置されているので、電子キー内を省スペース化でき、電子キーを高密度化することができる。
【０００７】
また、本発明において、前記ＸＹコア部は十字状であり、前記Ｘ軸の軟磁性コアの先端部および前記Ｙ軸の軟磁性コアの先端部が、前記Ｚ軸アンテナコイルを支持するＺ軸アンテナコイル支持部となっていても良い。
この発明によれば、Ｚ軸アンテナコイル支持部により、Ｚ軸アンテナコイルを安定して支持することが可能となる。
【０００８】
また、本発明において、ＸＹコア部は角数が偶数である多角形状であり、ＸＹコア部の対辺を囲んでＸ軸アンテナコイルが設けられると共に、前記対辺と直交する対辺を囲んでＹ軸アンテナコイルが設けられてＸＹアンテナ部となっていても良い。
【０００９】
この発明によれば、多角形状のＸＹコア部の対辺を囲んでＸ軸アンテナコイルやＹ軸アンテナコイルが設けられているので、円形のＸＹコア部の場合に比べ、Ｘ軸アンテナコイルやＹ軸アンテナコイルの位置決めが容易となる。また、十字状のＸＹコア部の各々の先端部にＸ軸アンテナコイルやＹ軸アンテナコイルを設ける場合に比べ、巻き径が大きくできて受信感度を向上でき、巻き数を減少して、アンテナの製造工程を簡易化できる。また、十字状のＸＹコア部に比べ、ＸＹコア部の体積を大きくでき、ＸＹコア部が磁気飽和しにくくなり、磁束のもれを少なくして、受信感度を良好に保つことができる。
【００１０】
また、本発明において、ＸＹコア部は、四角形における４つの角部が凹状に切り欠かれた形状であり、ＸＹコア部の対辺を囲んでＸ軸アンテナコイルが設けられると共に、前記対辺と直交する対辺を囲んでＹ軸アンテナコイルが設けられてＸＹアンテナ部となっていても良い。
【００１１】
この発明によれば、ＸＹコア部の対辺を囲んでＸ軸アンテナコイルやＹ軸アンテナコイルが設けられているので、円形のＸＹコア部の場合に比べ、Ｘ軸アンテナコイルやＹ軸アンテナコイルの位置決めが容易となる。また、十字状のＸＹコア部の各々の先端部にＸ軸アンテナコイルやＹ軸アンテナコイルを設ける場合に比べ、巻き径が大きくできて受信感度を向上でき、巻き数を減少して、アンテナの製造工程を簡易化できる。また、十字状のＸＹコア部に比べ、ＸＹコア部の体積を大きくでき、ＸＹコア部が磁気飽和しにくくなり、磁束のもれを少なくして、受信感度を良好に保つことができる。更に、ＸＹコア部は四角形における４つの角部が凹状に切り欠かれた形状であるので、この形状に対応したセンター貫通部を有する基板を使用することにより、凹状の切り欠きを設けなければセンター貫通部となるはずだった基板の部分に電極等を配置することが可能となる。
【００１２】
また、本発明において、渦巻き状の導電性プリントが形成されると共にセンター貫通部を有する薄板状の基板が複数積層され、導電性プリント同士が基板間で連結されてＺ軸アンテナコイルとなっていると共に、センター貫通部が繋がってＸＹアンテナ部配置用孔部となっており、このＸＹアンテナ部配置用孔部にＸＹアンテナ部が配置されていても良い。
【００１３】
この発明によれば、ＸＹコア部の形状に対応したＸＹアンテナ部配置用孔部を有する基板を使用することにより、基板に電極等を有効に配置することが可能となる。
【００１４】
また、本発明は、上記データ送受信カード用アンテナを備えた車両用の電子キーである。
この発明によれば、電子キー内を省スペース化でき、電子キーを高密度化することができる。
【００１５】
また、本発明において、プリント基板にＸＹアンテナ部配置用孔部が形成され、このＸＹアンテナ部配置用孔部に、前記ＸＹアンテナ部が設けられている車両用の電子キーである。
この発明によれば、プリント基板のＸＹアンテナ部配置用孔部に、ＸＹアンテナ部が設けられているので、電子キーを小型化することができる。
【発明の効果】
【００１６】
この発明によれば、Ｘ軸の軟磁性コアおよびＹ軸の軟磁性コアとして機能するＸＹコア部を有し、前記ＸＹコア部にＸ軸アンテナコイル及びＹ軸アンテナコイルが設けられて、前記Ｘ軸部および前記Ｙ軸部が形成されてなるＸＹアンテナ部が、前記Ｚ軸部を形成するＺ軸アンテナコイルの内側に配置されているので、電子キー内を省スペース化でき、電子キーを高密度化することができる。
【発明を実施するための最良の形態】
【００１７】
本発明の実施の形態を、図面を参照にして説明する。
本発明の実施の形態による、車両用の電子キーシステムにおいて車両側のカードリーダ（外部側送受信機）との間でデータの送受信を行うＩＣカード（携帯側送受信機）（電子キー）１は、図１におけるように、データ送受信カード用アンテナ２と、車両固有のＩＤコード信号等を記憶する記憶部を兼ねる制御部４と、を備えているものである。
【００１８】
尚、本発明の実施の形態によるデータ送受信カード用アンテナ２を用いた車両用の電子キーシステムでは、電子キーとしてのＩＣカード１に、Ｘ軸部５、Ｙ軸部６およびＺ軸部７よりなる３軸タイプのアンテナを設け、車両側のカードリーダ（外部側送受信機）にＩＣカード１のデータ送受信カード用アンテナ２と電磁結合されるアンテナコイルを設け、車両とＩＣカード１とが所定距離内となった場合に、車両側のカードリーダのアンテナコイルから質問信号を空中伝播信号たる電磁誘導信号として送信し、この際、ＩＣカード１駆動用の電力も送られ、この質問信号をＩＣカード１の３軸タイプのデータ送受信カード用アンテナ２が受信すると、３軸タイプのデータ送受信カード用アンテナ２から応答信号として、ＩＣカード１の制御部４に記憶されている車両固有のＩＤコード信号を空中伝播信号たる電磁誘導信号として送信するようになっており、カードリーダは、ＩＣカード１から送信されたＩＤコードを読取り、車両側に予め記憶されているＩＤコードと比較し、両者が一致すると、ドアロックやアンロック或いはエンジンの始動などを行うようになっている。
【００１９】
尚、本発明の実施の形態によるデータ送受信カード用アンテナ２を用いた車両用の電子キーシステムとして、ＩＣカード１に電源３を搭載して、自発的に、ＩＣカード１から、制御部４に記憶されている車両固有のＩＤコード信号を車両側のカードリーダへ送信しても良い。
【００２０】
以下、本発明の実施の形態によるデータ送受信カード用アンテナ２につき、図２〜５を参照として説明する。
本発明の実施の形態によるデータ送受信カード用アンテナ２は、図２、３におけるように、図４、５における一体に形成されたＸ軸の軟磁性コア８およびＹ軸の軟磁性コア９を備えた十字状のＸＹコア部１０と、Ｘ軸の軟磁性コア８およびＹ軸の軟磁性コア９に夫々Ｘ軸アンテナコイル１１、Ｙ軸アンテナコイル１２が巻き付けられて、Ｘ軸部５およびＹ軸部６が形成されてなるＸＹアンテナ部２４と、ＸＹアンテナ部２４を内側に配置し、Ｚ軸部となる筒状のＺ軸アンテナコイル７と、Ｘ軸アンテナコイル１１、Ｙ軸アンテナコイル１２、及び、Ｚ軸アンテナコイル７の夫々の両端部が接続されるコイル用電極部１３（１３−１、１３−２、１３−３）と、コイル用電極部１３が接続され、データ送受信カード用アンテナ２と制御部４との間の接続用電極部１４と、Ｘ軸部５、Ｙ軸部６、Ｚ軸部７を上下方向（図２における紙面に対し直交方向）から挟み込んで収納するプラスチック製カバー１５と、を備えている。尚、コイル用電極部（コイル用電極パターン）１３および接続用電極部（外部接続用電極パターン）１４は、プリント基板１９上に形成されている。
【００２１】
図４〜７から把握されるように、ＸＹコア部１０におけるＸ軸の軟磁性コア８およびＹ軸の軟磁性コア９の各先端部には切り欠き部２０が形成されており、プリント基板１９には、ＸＹコア部１０が設けられる十字状のＸＹアンテナ部配置用孔部２１が形成されており、十字状のＸＹアンテナ部配置用孔部２１にＸＹコア部１０が入り込んだ状態で、ＸＹコア部１０の切り欠き部２０にプリント基板１９が係合して、切り欠き部２０とプリント基板１９とを接着して一体とするようになっている。プリント基板１９は、十字状のＸＹコア部１０の各切り欠き部２０との係合によりＸＹコア部１０に対して位置決めされた状態で、ＸＹコア部１０に支持される。また、Ｘ軸の軟磁性コア８に巻き付けられているＸ軸アンテナコイル１１とＹ軸の軟磁性コア９に巻き付けられているＹ軸アンテナコイル１２とは、ＸＹコア部１０と十字状のＸＹアンテナ部配置用孔部２１との隙間部２２に配置されるようになっている。Ｚ軸アンテナコイル７はプリント基板１９上に配置されるようになっている。
この場合、十字状のＸＹアンテナ部配置用孔部２１にＸＹコア部１０が入り込んでいるので、ＩＣカード１を小型化（薄型化）することが可能となる。
【００２２】
図４、５におけるように、ＸＹコア部１０は、フェライトやアモルファス合金など様々な軟磁性材料を採用可能であり、中実状であって、Ｘ軸の軟磁性コアとＹ軸の軟磁性コアとを一体に連結する中央連結部１６は、Ｘ軸の軟磁性コア８及びＹ軸の軟磁性コア９によりも上下方向に延びた突出部１７が備えられており、この突出部１７が、プラスチック製カバー１５の中央部に設けられた位置決め用開口部１８に嵌め込まれることによって、ＸＹコア部１０がプラスチック製カバー１５に位置決めされるようになっている。また、突出部１７を設けることで、ＸＹコア部１０の体積および表面積が大きくなるため、ＸＹコア部１０が磁気飽和しにくくなり、磁束のもれを少なくして、受信感度を良好に保てるようになる。更に、突出部１７をＺ軸の軟磁性コアとしても利用可能となる。
【００２３】
Ｘ軸の軟磁性コア８は中央連結部１６の両側に形成されており、かかる両側の夫々のＸ軸の軟磁性コア８に、Ｘ軸アンテナコイル１１が夫々、巻き付けられている。各々のＸ軸アンテナコイル１１は、プリント基板１９上のＸ軸アンテナコイル用のコイル用電極部１３−１に接続されていて、両者は直列に接続されているものである。
Ｙ軸の軟磁性コア９は中央連結部１６の両側に形成されており、かかる両側の夫々のＹ軸の軟磁性コア９に、Ｙ軸アンテナコイル１２が夫々、巻き付けられている。各々のＹ軸アンテナコイル１２は、プリント基板１９上のＹ軸アンテナコイル用のコイル用電極部１３−２に接続されていて、両者は直列に接続されているものである。
【００２４】
尚、筒状のＺ軸アンテナコイル７を巻き付ける軟磁性コアは設けられておらず、軸のないＺ軸部７となっており、Ｚ軸アンテナコイル用のコイル用電極部１３−３に接続されている。
又、Ｚ軸部７は、巻線状ではなく、エッチングや印刷によるもの（いわゆるプリントコイル）であっても良い。
【００２５】
図８は、ＸＹコア部１０の変形例を示している。この変形例では、Ｘ軸の軟磁性コア８およびＹ軸の軟磁性コア９の両先端部が曲線状に形成されており、筒状に巻かれたＺ軸アンテナコイル７を支持するＺ軸アンテナコイル支持部２３となっている。Ｚ軸アンテナコイル支持部２３は、Ｘ軸の軟磁性コア８およびＹ軸の軟磁性コア９における両先端部よりも中心部分と比較して、幅方向に突出した拡張部となっており、ＸＹコア部１０の体積および表面積を大きくでき、ＸＹコア部１０を磁気飽和しにくくし、磁束のもれを少なくして、受信感度を良好に保てるようにできる。また、Ｚ軸アンテナコイル支持部２３により、Ｚ軸アンテナコイル７を安定して支持することが可能となる。
【００２６】
本発明の実施の形態によるデータ送受信カード用アンテナ２では、外部側送受信機との間でデータを送受信する機能を備え、Ｘ軸部５、Ｙ軸部６およびＺ軸部７よりなる３軸タイプのデータ送受信カード用アンテナ２であって、一体に形成されたＸＹコア部１０におけるＸ軸の軟磁性コア８およびＹ軸の軟磁性コア９に、夫々Ｘ軸アンテナコイル１１、Ｙ軸アンテナコイル１２が巻き付けられて、Ｘ軸部５およびＹ軸部６が形成されてなるＸＹアンテナ部２４を有し、ＸＹアンテナ部２４は、Ｚ軸部７を形成するものであり筒状のアンテナコイル内に配置されることを特徴とするデータ送受信カード用アンテナであるので、電子キー１内を省スペース化でき、電子キー１を高密度化することができる。
【００２７】
図９〜１４は、本発明の実施の形態によるデータ送受信カード用アンテナ２、特に、ＸＹアンテナ部２４の変形例を示している。
これらの変形例では、ＸＹコア部は角数が偶数である多角形状であり、ＸＹコア部の対辺３３を囲んでＸ軸アンテナコイル１１が設けられると共に、対辺３３と直交する対辺３４を囲んでＹ軸アンテナコイル１２が設けられてＸＹアンテナ部２４となっている。
【００２８】
図９、１０における変形例では、Ｘ軸の軟磁性コアおよびＹ軸の軟磁性コアとして機能するＸＹコア部である、上方から見て略正方形状（略立方体形状）の中実状のセンターコア２５の対辺を囲んで、まず、エッチングや印刷によるＸ軸アンテナコイル１１（いわゆるプリントコイル）を被せ、その後、Ｘ軸アンテナコイル１１が被せされた対辺３３と直交する対辺３４を囲んで、センターコア２５及びＸ軸アンテナコイル１１を覆いつつ、Ｙ軸アンテナコイル１２（いわゆるプリントコイル）を被せることにより、ＸＹアンテナ部２４を形成している。また、このＸＹアンテナ部２４が、Ｚ軸部を形成する筒状のＺ軸アンテナコイル７内に配置されているものである。
【００２９】
また、ここで用いられるＸ軸アンテナコイル１１、Ｙ軸アンテナコイル１２としては、エッチングや印刷によるもの（いわゆるプリントコイル）ではなく、図１１、１２におけるように巻線状であっても良い。
【００３０】
また、図１３、１４における変形例では、Ｘ軸の軟磁性コアおよびＹ軸の軟磁性コアとして機能するＸＹコア部である、上方から見て略８角形状の中実状のセンターコア２６の対辺３３を囲んで、まず、Ｘ軸アンテナコイル１１を被せ、その後、Ｘ軸アンテナコイル１１が被せされた対辺３３と直交する対辺３４を囲んで、センターコア２６及びＸ軸アンテナコイル１１を覆いつつ、Ｙ軸アンテナコイル１２を被せることにより、ＸＹアンテナ部２４を形成している。また、このＸＹアンテナ部２４が、Ｚ軸部を形成する筒状のＺ軸アンテナコイル７内に配置されているものである。ここで用いられるＸ軸アンテナコイル１１、Ｙ軸アンテナコイル１２としては、巻線状であっても良く、エッチングや印刷によるもの（いわゆるプリントコイル）であっても良い。
尚、同一の直径を有するＺ軸アンテナコイル７内に配置される際、多角形における角数が多い場合、ＸＹコア部の体積を大きくできるが、一辺が短くなって巻き数は少なくなり、角数が小さい場合、ＸＹコア部の体積は小さいが、一辺が長くなって巻き数は多くなるものである。
【００３１】
図１５〜１８は、本発明の実施の形態によるデータ送受信カード用アンテナ２の他の変形例を示している。図１５は、ＸＹアンテナ部２４を示す斜視図であり、図１６は、データ送受信カード用アンテナ２の平面図であり、図１７は、データ送受信カード用アンテナ２の底面図であり、図１８は、データ送受信カード用アンテナ２を側面から見た模式図である。
【００３２】
この変形例では、ＸＹコア部２７は、四角形における４つの角部が凹状に切り欠かれた凹状切り欠き部２８を有し、ＸＹコア部２７の対辺３３を囲んでＸ軸アンテナコイル１１が設けられると共に、この対辺３３と直交する対辺３４を囲んでＹ軸アンテナコイル１２が設けられてＸＹアンテナ部２４となっている。
【００３３】
また、センター貫通部２９を有する薄板状の基板３０が複数積層され、上下のセンター貫通部２９が繋がってＸＹアンテナ部配置用孔部３１となっており、このＸＹアンテナ部配置用孔部３１にＸＹアンテナ部２４が配置されている。図１７におけるように、各々の基板３０には、渦巻き状の導電性プリント３２が形成されており、導電性プリント３２同士が、積層された基板３０間で連結されてＺ軸アンテナコイル７となっている。図１７におけるように、Ｘ軸アンテナコイル１１の両端部は、複数の基板３０のうち最下層の基板３０の底面に設けられたＸ軸アンテナコイル１１用のコイル用電極部１３−１に接続され、Ｙ軸アンテナコイル１２の両端部は、複数の基板３０のうち最下層の基板３０の底面に設けられたＹ軸アンテナコイル１２用のコイル用電極部１３−２に接続されている。Ｚ軸アンテナコイル７の始端は、最下層の基板３０の底面に設けられた接続用電極部１４に接続されており、この接続用電極部１４に渦巻き状の導電性プリント３２が繋がり、最下層の基板３０の底面に設けられたＺ軸アンテナコイル７用のコイル用電極部１３−３を介して、最下層の基板３０よりも一つ上層の基板３０の渦巻き状の導電性プリント３２に接続されている。このようにして、上下に隣り合う層の基板３０における渦巻き状の導電性プリント３２が接続され、Ｚ軸アンテナコイル７の終端は最上層の基板３０に設けられた接続用電極（図示せず）に繋がっている。
【図面の簡単な説明】
【００３４】
【図１】本発明の実施の形態による電子キーを示す図である。
【図２】本発明の実施の形態によるデータ送受信カード用アンテナを示す平面図である。
【図３】図２におけるＡ−Ａ線断面図である。
【図４】本発明の実施の形態によるデータ送受信カード用アンテナに用いられる十字形のＸＹコア部を示す平面図である。
【図５】本発明の実施の形態によるデータ送受信カード用アンテナに用いられる十字状のＸＹコア部を示す側面図である。
【図６】本発明の実施の形態によるデータ送受信カード用アンテナの要部を示す平面図である。
【図７】本発明の実施の形態によるデータ送受信カード用アンテナの要部を示す側面図である。
【図８】本発明の実施の形態によるデータ送受信カード用アンテナに用いられる十字状のＸＹコア部の変形例を示す平面図である。
【図９】本発明の実施の形態によるデータ送受信カード用アンテナの変形例の組み立て状態を示す平面図である。
【図１０】本発明の実施の形態によるデータ送受信カード用アンテナの変形例を示す平面図である。
【図１１】本発明の実施の形態によるデータ送受信カード用アンテナにおけるＸＹアンテナ部の変形例を示す図である。
【図１２】本発明の実施の形態によるデータ送受信カード用アンテナの変形例を示す図である。
【図１３】本発明の実施の形態によるデータ送受信カード用アンテナにおけるＸＹアンテナ部の変形例を示す図である。
【図１４】本発明の実施の形態によるデータ送受信カード用アンテナの変形例を示す図である。
【図１５】本発明の実施の形態によるデータ送受信カード用アンテナにおけるＸＹアンテナ部の変形例を示す図である。
【図１６】本発明の実施の形態によるデータ送受信カード用アンテナの変形例を示す図である。
【図１７】本発明の実施の形態によるデータ送受信カード用アンテナの変形例を示す図である。
【図１８】本発明の実施の形態によるデータ送受信カード用アンテナの変形例を示す図である。
【符号の説明】
【００３５】
１‥‥ＩＣカード（電子キー）、２‥‥データ送受信カード用アンテナ、３‥‥電源、４‥‥制御部、５‥‥Ｘ軸部、６‥‥Ｙ軸部、７‥‥Ｚ軸部（Ｚ軸アンテナコイル）、８‥‥Ｘ軸の軟磁性コア、９‥‥Ｙ軸の軟磁性コア、１０‥‥十字状のＸＹコア部、１１‥‥Ｘ軸アンテナコイル、１２‥‥Ｙ軸アンテナコイル、１３−１〜１３−３‥‥コイル用電極部、１４‥‥接続用電極部、１５‥‥プラスチック製カバー、１６‥‥中央連結部、１７‥‥突出部、１８‥‥位置決め用開口、１９‥‥プリント基板、２０‥‥切り欠き部、２１‥‥十字状のＸＹアンテナ部配置用孔部、２２‥‥隙間部、２３‥‥Ｚ軸アンテナコイル支持部、２４‥‥ＸＹアンテナ部、２５‥‥センターコア、２６‥‥センターコア、２７‥‥ＸＹコア部、２８‥‥凹状切り欠き部、２９‥‥センター貫通部、３０‥‥基板、３１‥‥ＸＹアンテナ部配置用孔部、３２‥‥導電性プリント、３３‥‥対辺、３４‥‥直交する対辺
【図１】
2005160039.tif 000003
【図２】
2005160039.tif 000004
【図３】
2005160039.tif 000005
【図４】
2005160039.tif 000006
【図５】
2005160039.tif 000007
【図６】
2005160039.tif 000008
【図７】
2005160039.tif 000009
【図８】
2005160039.tif 000010
【図９】
2005160039.tif 000011
【図１０】
2005160039.tif 000012
【図１１】
2005160039.tif 000013
【図１２】
2005160039.tif 000014
【図１３】
2005160039.tif 000015
【図１４】
2005160039.tif 000016
【図１５】
2005160039.tif 000017
【図１６】
2005160039.tif 000018
【図１７】
2005160039.tif 000019
【図１８】
2005160039.tif 000020